(57)【特許請求の範囲】
【請求項１】
皿状容器体２と、該容器体後部に後部を回動可能に連結して容器体上面を開閉可能に設けた蓋体３と、上記容器体の化粧品収納凹部９内に立設固定させた円筒状支持筒４と、該支持筒内に嵌着させて内部に化粧品を充填させた化粧品収納皿５と、上記支持筒４外周の化粧品収納凹部９内に回動可能且つ抜け出し不能に装着した回動リング６と、上記支持筒外周に回動可能且つ開閉可能に嵌合させた周壁２７上端縁より頂壁２８を延設するとともに、周壁２７一端部を上記回動リング６一端部に開閉可能且つ一体回動可能に連結させた中蓋７と、上記中蓋頂壁２８下面に固定させるとともに、上記化粧品収納皿５上面に圧接して気密性を保持する弾力性を有するパッキン８とを備え、上記支持筒４外周及び中蓋周壁２７内周に互いに係合する横突条２９及び３０をそれぞれ周方向複数設けるとともに、各横突条２９及び３０の係合状態から係合解除状態に至る間を中蓋７の往復回動が可能に規制したことを特徴とする化粧用コンパクト容器。
【請求項２】
上記各横突条２９及び３０の係合状態から係合解除状態に至る間の中蓋７の往復回動規制が、上記容器体周壁１１上面の上記化粧品収納凹部９と連通する所定位置に穿設した帯状凹部３４内を、中蓋７と回動リング６の連結部３３が往復動することで規制される往復回動規制であり、上記連結部３３が容器体側部中央位置にある時に上記係合解除状態である請求項１記載の化粧用コンパクト容器。
【発明の詳細な説明】
【０００１】
【産業上の利用分野】
本発明は化粧用コンパクト容器に関する。
【０００２】
【従来の技術】
化粧用コンパクト容器として、容器体後部に後部を回動可能に連結するとともに、容器体上面を開閉可能に蓋体を設け、容器体に化粧品を収納した化粧品充填皿を嵌着させてなるものが知られている。
【０００３】
これらは一般に蓋体前部下面より垂設したフックを容器体前面上部に突設した係止突条に離脱可能に押圧係止させて閉じ蓋状態を維持させる如く構成している。
【０００４】
【発明が解決しようとする課題】
しかしながら、上記した従来の容器では化粧品収納部の上面を密に閉塞することが難しく、長期の使用によって化粧品が乾燥劣化する等の不都合を生じる場合がある。
【０００５】
本考案は上記した従来技術の欠点を解消するもので、良好な気密性を維持しつつ且つ取り扱いも容易な化粧用コンパクト容器を提案するものである。
【０００６】
【課題を解決するための手段】
本請求項１発明の容器は上記課題を解決するため、皿状容器体２と、該容器体後部に後部を回動可能に連結して容器体上面を開閉可能に設けた蓋体３と、上記容器体の化粧品収納凹部９内に立設固定させた円筒状支持筒４と、該支持筒内に嵌着させて内部に化粧品を充填させた化粧品収納皿５と、上記支持筒４外周の化粧品収納凹部９内に回動可能且つ抜け出し不能に装着した回動リング６と、上記支持筒外周に回動可能且つ開閉可能に嵌合させた周壁２７上端縁より頂壁２８を延設するとともに、周壁２７一端部を上記回動リング６一端部に開閉可能且つ一体回動可能に連結させた中蓋７と、上記中蓋頂壁２８下面に固定させるとともに、上記化粧品収納皿５上面に圧接して気密性を保持する弾力性を有するパッキン８とを備え、上記支持筒４外周及び中蓋周壁２７内周に互いに係合する横突条２９及び３０をそれぞれ周方向複数設けるとともに、各横突条２９及び３０の係合状態から係合解除状態に至る間を中蓋７の往復回動が可能に規制したことを特徴とする化粧用コンパクト容器として構成した。
【０００７】
また、請求項２発明の容器は、上記各横突条２９及び３０の係合状態から係合解除状態に至る間の中蓋７の往復回動規制が、上記容器体周壁１１上面の上記化粧品収納凹部９と連通する所定位置に穿設した帯状凹部３４内を、中蓋７と回動リング６の連結部３３が往復動することで規制される往復回動規制であり、上記連結部３３が容器体側部中央位置にある時に上記係合解除状態である請求項１記載の化粧用コンパクト容器として構成した。
【０００８】
【作用】
押し釦２１を押し込んでフック１９の係合を解除し蓋体３を容器体２後方へ開く。次いで中蓋７を持って回動させ、各横突条２９及び３０の係合を解除し、中蓋７を開いて収納化粧品を使用することができる。この際、中蓋７と回動リング６との連結部３３が各横突条２９，３０の係合解除直後に帯状凹部３４一端部に係止される。また、上記連結部３３が容器体側部中央に位置し、中蓋７は容器体側方へ開く。
【０００９】
使用後は、中蓋７を閉じた後その状態で反対方向に回動させると各横突条２９及び３０が互いに係合して中蓋７は閉蓋状態を維持し、パッキン８は化粧品収納皿５上面に圧接して該皿５内を気密に閉塞する。この際、上記連結部３３が帯状凹部３４の他端部に係止されるまで中蓋７を回動させると、各横突条２９及び３０が完全に係合され中途半端な係合状態とならない。次いで、蓋体３を閉じて保管する。
【００１０】
【実施例】
以下、本発明の実施例を図面を参照して説明する。
【００１１】
図１乃至図６は本発明の実施例を示すもので、図中１は化粧用コンパクト容器を示す。該容器１は、容器体２と、蓋体３と、支持筒４と、化粧品収納皿５と、回動リング６と、中蓋７と、パッキン８とを備えている。
【００１２】
容器体２は、その左方に円形の化粧品収納凹部９を、右方に矩形状の化粧具収納凹部１０を横設した皿状をなしている。また、周壁１１前面中央部を後方へ凹ませて形成し、後述する押し釦を収納するための前面及び上面開口の凹部１２を形成し、その奥壁面には後述する蓋体のフックを係合させるための係止突起１３を突設している。また、容器体周壁１１後面中央を前方へ凹ませて形成し、蓋体３の後述する回動軸受けを収納軸着させるための上下面及び後面開口の凹部１４を設けている。
【００１３】
蓋体３は、容器体後部に後部を回動可能に連結して容器体上面を開閉可能に構成している。
【００１４】
本実施例では、周壁１６上端縁より頂壁１７を延設し、容器体２の上面外周縁に凹設した帯状の嵌合凹部１５に周壁１６下端縁を開閉可能に嵌合させている。また、頂壁１７後部中央裏面より垂設した回動軸受け１８を容器体の上記凹部１４内に垂下して凹部１４両側に回動可能に軸着させている。また、頂壁１７前部中央より垂設したフック１９を上記係止突起１３に係合させて閉蓋状態を維持可能に構成している。更に、頂壁１８裏面にはガラス等よりなる鏡２０を嵌着固定させている。
【００１５】
また、容器体前部の凹部１２内には押し釦２１を押し込み可能に装着させ、該押し釦２１の押し込みによりフック１９下面を押し上げてその係合を解除できる如く構成している。
【００１６】
支持筒４は、上記容器体２の化粧品収納凹部９内に、外周に回動リング６を装着する隙間をあけて、立設固定させた円筒状をなしている。本実施例では、上記化粧品収納凹部９内に下端縁を高周波接着等の方法で固定させ、その外周下部からは回動リング６を抜け出し不能に装着させるためのフランジ２２を周設している。
【００１７】
化粧品収納皿５は、内部に化粧品を充填させて上記支持筒４内に嵌着固定させたもので、本実施例では、上記支持筒４内周面に嵌着固定させた周壁２３下端縁より底壁２４を延設し、更に、周壁２３上端縁からは支持筒４上面にフランジ２５を延設して構成している。
【００１８】
回動リング６は、上記支持筒４外周の化粧品収納凹部９内に回動可能且つ抜け出し不能に装着している。
【００１９】
本実施例では、支持筒４の上記フランジ２２外周部に回動可能に遊嵌させるとともに、上記フランジ２２下部に回動可能に挿入して上方への抜け出しが出来ない様に内方へフランジ２６を延設した短円筒状をなしている。
【００２０】
中蓋７は、上記支持筒４外周に回動可能且つ開閉可能に嵌合させた周壁２７上端縁より頂壁２８を延設するとともに、周壁２７一端部を上記回動リング６一端部に開閉可能に且つ一体回動が可能に連結させている。また、上記支持筒４外周及び中蓋周壁２７内周に互いに係合する横突条２９及び３０をそれぞれ周方向複数設けるとともに、各横突条２９及び３０の係合状態から係合解除状態に至る間を往復回動可能に規制している。
【００２１】
本実施例では、回動リング６上面所定位置より上方及び外方へ突出する横円柱状の軸受け３１を一体に立設するとともに、中蓋周壁２７の外面所定位置より横円柱状の一対の回動軸受け３２を突設し、上記軸受け３１両側に回動軸受け３２を嵌合軸着させた連結部３３を設けることにより中蓋７を回動リング６に対して開閉可能に構成している。
【００２２】
また、容器体周壁１１上面左側部より上記化粧品収納凹部９に沿って後方所定長さに、上記化粧品収納凹部９と連通する帯状凹部３４を穿設して、該帯状凹部３４内を上記連結部３３が往復回動する如く構成している。
【００２３】
更に、支持筒４外周上部の前後左右四箇所に横長の横突条２９を突設し、各横突条２９下面に係合する略同じ長さの四つの横突条３０を中蓋周壁２７内周面に突設している。そして、上記連結部３３が上記帯状凹部３４の後端部係止位置にある場合に各横突条２９及び３０が完全係合し、中蓋７を回動して連結部３３が帯状凹部３４の前端部係止位置に回動した際に各横突条２９及び３０の係合が解除されて中蓋７を開くことができる如く構成している。
【００２４】
パッキン８は、エラストマー等の弾力性を有する材質で構成したもので、上記中蓋頂壁２８下面に固定させるとともに、上記各横突条２９及び３０が係合した際に上記化粧品収納皿５上面に圧接して気密性を維持する如く構成している。
【００２５】
本実施例では、中蓋頂壁２８裏面に両面テープ等により接着した円板状のパッキン８を設けているが、円板状に限らず、リング状であっても良い。また、その固定方法も両面テープによる接着に限らず、単に嵌合固定させることも可能であり、その他の方法であっても良い。
【００２６】
尚、各横突条２９及び３０の数は上記の四つに限らずその他の数を採用することもできる。また、中蓋７の横突条３０が回動して係合する方向に互いに傾斜下降する如く各横突条２９，３０を構成しておくと、その係合をより円滑に行える。
【００２７】
更に、上記実施例では化粧具収納凹部１０を設けているが、化粧品収納部凹部のみ設けることも可能である。
【００２８】
また、上記実施例では、帯状凹部３４を容器体左側中央部より後方へ延設してそこに中蓋７の連結部３３を回動可能に収納する如く構成しているが、左側中央部より前方へ延設しても良い。また、化粧具収納凹部が容器体右方に有る場合や化粧具収納凹部がない場合には右側に設けて中蓋７が右側に開くようにしても良い。
【００２９】
また、上記各部材は特に断りの無い限り合成樹脂で形成すると良い。
【００３０】
【発明の効果】
以上説明した如く本発明容器は、容器体の凹部内に円筒状支持筒を立設固定し、その内部に化粧品収納皿を嵌着固定させ、また、支持筒外周に回動可能且つ開閉可能に嵌合させるとともに、支持筒外周に突設した横突条下面に係合する横突条を周壁内面に突設した中蓋を設けたので、各横突条を係合させた際に、上記中蓋頂壁下面に固定させたパッキンにより化粧品収納皿上面を圧接して充分なる気密性を保持することができるものであり、長期の使用に当たっても内容物が乾燥したり、或いは内容物が流出する等の不都合を生じることはない。
【００３１】
また、支持筒外周の凹部内に回動可能且つ抜け出し不能に装着した回動リングを設け、該リング一端部に中蓋周壁一端部を開閉可能に連結させたので、使用時に中蓋を取り外す必要がなく、中蓋の置き場所に困ることがなく、また、その紛失の虞もないため取り扱いが便利である。
【００３２】
また、各横突条相互の係合状態から係合解除状態に至る間を中蓋が往復回動する如く規制したので中蓋の回動が行き過ぎる等の不都合がなく、余分な中蓋の回動を行わなくて済み、蓋体の容器体に対する係止及び係止解除を容易且つ確実に行えるものである。
【００３３】
また、請求項２発明の容器では、上記効果に加えて、無駄なスペースをとらず、しかも確実に中蓋の回動規制を行えるとともに、連結部が容器体側部中央位置にある時に係合解除状態となるため、使用時に開いた中蓋が邪魔となることがない。
【図面の簡単な説明】
【図１】本発明の一実施例を示す縦断面図である。
【図２】図１の要部を拡大した縦断面図である。
【図３】図１のＡ−Ａ線に沿う縦断面図である。
【図４】図１のＢ−Ｂ線に沿う縦断面図である。
【図５】同実施例の蓋体を外した状態の平面図である。
【図６】同実施例の容器前部の要部縦断面図である。
【図７】同実施例の容器後部の要部縦断面図である。
【符号の説明】
２…容器体，３…蓋体，４…支持筒，５…化粧品収納皿，６…回動リング，
７…中蓋，８…パッキン，９…化粧品収納凹部，１１…容器体周壁，
２７…中蓋周壁，２８…中蓋頂壁，２９…横突条，３０…横突条，３３…連結部，
３４…帯状凹部
【図１】
0003575706.tif 000002
【図２】
0003575706.tif 000003
【図３】
0003575706.tif 000004
【図４】
0003575706.tif 000005
【図５】
0003575706.tif 000006
【図６】
0003575706.tif 000007
【図７】
0003575706.tif 000008